(57)【要約】【課題】  入力ディジタル信号切換部によりディジタルコンテンツソースの入力を切り換えるコンテンツ再生装置において、入力ディジタル信号切換部の切り換え動作を安定させ確実にすることである。【解決手段】  コンテンツ再生装置２５は、ＤＶＤユニットからの入力及びＶＩＤＥＯユニットからの入力及び入力ディジタル信号切換部３１からの入力を切り換えて受信するためのセレクタＩＣ３０と、複数のディジタルコンテンツソース２６、２７からの入力を切り換えて受信するための入力ディジタル信号切換部３１と、セレクタＩＣ３０及び入力ディジタル信号切換部３１を制御するシステムマイコン１１を備える。  システムマイコン１１は、ディジタルコンテンツソース２６、２７からの入力を切り換えるように入力ディジタル信号切換部３１を制御する場合に、入力ディジタル信号切換部３１のディジタルコンテンツ用セレクタを一旦ニュートラルとする。その後、ディジタルコンテンツソース２６、２７のいずれかを入力ディジタル信号切換部３１に入力可能にするように、ディジタルコンテンツ用セレクタを制御する。【選択図】  図１
2006065939.tif 000002
【特許請求の範囲】
【請求項１】
複数の入力ソースからの信号を受信し、選択的に出力する信号処理手段と、
入力ソースの選択指示を受け付け、前記信号処理手段に前記信号の選択を指示する制御手段と、を備え、
前記制御手段は、入力ソースの選択指示を受け付けると、前記信号処理手段に対していずれの信号も選択していないニュートラル状態となるよう指示し、ニュートラル状態となった前記信号処理手段に選択指示に対応する信号を選択するよう指示し、
前記信号処理手段は、前記ニュートラル状態を指示されるといずれの信号も選択していないニュートラル状態となり、ニュートラル状態となった後に選択指示に応じて対応する信号を選択する、
ことを特徴とする信号入力切換装置。
【請求項２】
前記制御手段は、選択指示に対応する信号選択状態を保持するメモリを有し、
ニュートラル状態となった信号処理手段に指示する信号の選択は、前記メモリに保持されている信号選択状態に基づいて行うこと、
を特徴とする請求項１に記載の信号入力切換装置。
【請求項３】
前記信号処理手段は、前記ニュートラル状態となるよう指示されたとき、ニュートラル状態への遷移の完了に応じて当該完了を前記制御手段に通知し、
前記制御手段は、ニュートラル状態への遷移完了の通知を受けて、選択指示に対応する信号を選択するよう前記信号処理手段に指示する、
ことを特徴とする請求項１又は２に記載の信号入力切換装置。
【請求項４】
前記信号処理手段は、選択指示に対応する信号の選択処理が完了すると、前記制御手段に当該選択された信号を通知し、
前記制御手段は、前記信号処理手段から通知された前記選択された信号と前記メモリに保持されている信号選択状態を比較し、一致している場合に当該切換処理を有効とし、及び／又は、一致していない場合に当該切換処理を無効とする、
ことを特徴とする請求項２に記載の信号入力切換装置。
【請求項５】
複数の入力ソースからの信号を受信し、選択的に出力する信号処理手段と、入力ソースの選択指示を受け付け、前記信号処理手段に前記信号の選択を指示する制御手段と、を備える信号入力切換装置における信号入力切換方法であって、
前記制御手段が入力ソースの選択指示を受け付ける入力ソース選択指示受付工程と、
前記入力ソースの選択指示を受け付けた制御手段が、前記信号処理手段に対していずれの信号も選択していないニュートラル状態となるよう指示するニュートラル指示工程と、
前記制御手段が、ニュートラル状態となった前記信号処理手段に選択指示に対応する信号を選択するよう指示する選択指示工程と、を備える信号入力切換方法。
【発明の詳細な説明】
【技術分野】
【０００１】
本発明は、信号入力切換装置、及び信号入力切換方法に関する。
【背景技術】
【０００２】
コンテンツ再生装置には、コンテンツのデータを出力するビデオやＤＶＤ等のコンテンツソースが搭載若しくは接続されたものがある。これらのコンテンツソースのうちいずれの映像等を再生してモニタに出力するかは、コンテンツ再生装置を使用するユーザの操作によって選択される。
【０００３】
また、コンテンツ再生装置には、コンテンツサーバとしてのパーソナルコンピュータ（ＰＣ）やメモリカード等、映像や音声等のコンテンツをディジタルデータで記憶するディジタルコンテンツソースを接続できるものがある。
【０００４】
そして、複数のコンテンツソースやディジタルコンテンツソースより選択して視聴できるコンテンツ再生装置では、いずれのコンテンツソースの再生を行うか切り換え制御を行うためのセレクタＩＣが設けられている。そして、このセレクタＩＣによるソースの切り換えは、コンテンツ再生装置を制御するシステムマイコンによって制御される。
【０００５】
そして、ユーザの前記コンテンツソースを選択する操作に応じて、システムマイコンが前記セレクタＩＣを制御し、選択されたコンテンツソースの映像等がコンテンツ再生装置のモニタに出力される。ここで、入力セレクタを介して選択された任意の再生装置の動作を制御する技術が開示されている（例えば、特許文献１参照）。
【０００６】
また、外部の複数のディジタルコンテンツソースより出力されるディジタルコンテンツデータを、ＤＳＰにより構成された入力ディジタル信号切換部により切り換えてセレクタＩＣに入力するようにしたものもある。
【０００７】
この複数のディジタルコンテンツソースの出力を入力ディジタル信号切換部により切り換えて入力するようにしたものでは、この信号切換部はセレクタＩＣに対して独立した入力セレクタを有しており、ディジタルコンテンツソースのコンテンツデータは、入力ディジタル信号切換部のディジタルコンテンツ用セレクタの切り換えに応じて出力される。
【０００８】
そして、コンテンツ再生装置にディジタルコンテンツソースのコンテンツデータを入力するように切り換える場合、システムマイコンは、特定のディジタルコンテンツソースが選択されたことを検出すると、選択されたディジタルコンテンツソースをコンテンツ再生装置に接続してコンテンツを出力するように、セレクタＩＣ及び入力ディジタル信号切換部のセレクタを切り換える制御を行う。
【特許文献１】特開平１−２８６１０３号公報
【発明の開示】
【発明が解決しようとする課題】
【０００９】
ここで、従来のコンテンツ再生装置では、ディジタルコンテンツソースを切り換える場合、システムマイコンは、ディジタルコンテンツソースを切り換える指示を受けると、セレクタＩＣ及び入力ディジタル信号切換部の双方にセレクタ切り換えコマンドを送信し、ディジタルコンテンツソースを切り換えるための制御を行っていた。しかし、セレクタＩＣと入力ディジタル信号切換部とでは、セレクタ切り換えのレスポンスが違うため、お互いの同期がとれないことがあった。
【００１０】
例えば、コンテンツ再生装置をパワーオンした直後、セレクタＩＣが起動していてＤＳＰが定常状態になっていない場合や、コンテンツ再生装置のセレクタ切り換えを素早く行った場合に、同期をとれないことがあった。また、ＤＳＰが他の重い処理を行っている場合に無理なセレクタ切り換え処理が生じたり、切り換えコマンドそのものを取りこぼすという問題を生じた。
具体的には、ＤＳＰの動作モードによっては、ＤＳＰは動作状態によってビジーとなってしまう場合が起こり得る。このビジー状態でセレクタを切り換えようとした場合、ＤＳＰの動作モードの切り換え、つまり、コンテンツソースの切り換え処理に遅延が生じてしまう可能性がある。例えば、上述のビジー状態になる可能性としては、以下の場合が考えられる。ＤＳＰコンテンツソースの切り換え以外にも様々な処理を実行する。例えば、ＰＣ内のコンテンツをライブラリ表示し、選択を促すＧＵＩ表示機能を備えている。当然描画する画面の複雑さにも影響されることになるが、画面遷移時には表示する画像の作成から実際の描画を行うという動作を実行するため、上述のようなビジー状態になってしまう可能性がある。また、音楽や静止画ファイルについてデータを読み込む際には、データ取得完了まで処理を中断しないために、他の処理を受け付けないビジー状態となってしまう可能性がある。特に情報量の多い静止画コンテンツを読み込む場合には、ビジー状態となってしまう可能性が極めて高い。
【００１１】
そこで、本発明は、ディジタルコンテンツソース等のディジタル信号の入力を切り換えるにあたり、その切り換え動作を安定させ確実にすることを目的とする。
【課題を解決するための手段】
【００１２】
本発明の第１の観点に係る信号入力切換装置は、複数の入力ソースからの信号を受信し、選択的に出力する信号処理手段と、
入力ソースの選択指示を受け付け、前記信号処理手段に前記信号の選択を指示する制御手段と、を備え、
前記制御手段は、入力ソースの選択指示を受け付けると、前記信号処理手段に対していずれの信号も選択していないニュートラル状態となるよう指示し、ニュートラル状態となった前記信号処理手段に選択指示に対応する信号を選択するよう指示し、
前記信号処理手段は、前記ニュートラル状態を指示されるといずれの信号も選択していないニュートラル状態となり、ニュートラル状態となった後に選択指示に応じて対応する信号を選択することを特徴としている。
【００１３】
また、前記制御手段が、選択指示に対応する信号選択状態を保持するメモリを有し、
ニュートラル状態となった信号処理手段に指示する信号の選択を、前記メモリに保持されている信号選択状態に基づいて行うようにすることができる。
【００１４】
また、前記信号処理手段は、前記ニュートラル状態となるよう指示されたとき、ニュートラル状態への遷移の完了に応じて当該完了を前記制御手段に通知し、
前記制御手段は、ニュートラル状態への遷移完了の通知を受けて、選択指示に対応する信号を選択するよう前記信号処理手段に指示するようにすることができる。
【００１５】
また、前記制御手段が、前記メモリを有し、前記ニュートラル状態となった信号処理手段に指示する信号の選択を、前記メモリに保持されている信号選択状態に基づいて行うようにする場合に、
前記信号処理手段は、選択指示に対応する信号の選択処理が完了すると、前記制御手段に当該選択された信号を通知し、
前記制御手段は、前記信号処理手段から通知された前記選択された信号と前記メモリに保持されている信号選択状態を比較し、一致している場合に当該切換処理を有効とし、及び／又は、一致していない場合に当該切換処理を無効とする、
ようにすることができる。
【００１６】
また、本発明の第２の観点に係る信号入力切換方法は、複数の入力ソースからの信号を受信し、選択的に出力する信号処理手段と、入力ソースの選択指示を受け付け、前記信号処理手段に前記信号の選択を指示する制御手段と、を備える信号入力切換装置における信号入力切換方法であって、
前記制御手段が入力ソースの選択指示を受け付ける入力ソース選択指示受付工程と、
前記入力ソースの選択指示を受け付けた制御手段が、前記信号処理手段に対していずれの信号も選択していないニュートラル状態となるよう指示するニュートラル指示工程と、
前記制御手段が、ニュートラル状態となった前記信号処理手段に選択指示に対応する信号を選択するよう指示する選択指示工程と、により構成される。
【発明の効果】
【００１７】
本発明によると、制御手段で認識している指示された複数のコンテンツソースの選択と、信号処理手段の信号の選択状態との同期を取ることができる。これにより、信号処理手段の切り換え動作を安定させ確実にすることができる。
【発明を実施するための最良の形態】
【００１８】
本発明の実施の形態について、図１乃至図４を参照しつつ説明する。図１は、本発明の一実施形態である信号入力切換装置を応用したコンテンツ再生装置２５を示しており、コンテンツ再生装置２５の構成の概略を表すブロック図である。また、本発明の一実施形態である信号入力切換方法は、以下に説明するコンテンツ再生装置２５により実施することができる。
【００１９】
以下に説明するコンテンツ再生装置２５によると、コンテンツ再生装置２５に接続されるコンテンツソースとしてのＤＶＤユニット及びＶＩＤＥＯユニットによるコンテンツの再生を行うことができ、外部のディジタルコンテンツソースとしてのコンテンツサーバ（パーソナルコンピュータ）及びメモリカードによるコンテンツの再生を行うことができる。
【００２０】
図１に示されるように、コンテンツ再生装置２５は、制御手段としてのシステムマイコン１１、クライアント制御部（クライアント制御ＩＣ）１２、信号処理手段としての入力ディジタル信号切換部３１、セレクタＩＣ３０、ディジタルインターフェースレシーバ（ＤＩＲ）１３、オーディオディジタルシグナルプロセッサ（オーディオＤＳＰ）１４、表示制御マイコン１５、表示部１６、アンプ部１７、及びスピーカ１８を備えている。このコンテンツ再生装置２５の例では、アンプ部１７を備え、ＡＶアンプを内蔵している。
【００２１】
システムマイコン１１は、コンテンツ再生装置２５の全体の動作を制御する。システムマイコン１１は、ＣＰＵ（中央処理装置）、ＲＯＭ（読み出し専用メモリ）、ＲＡＭ（読み書き可能メモリ）を備えている。システムマイコン１１がコンテンツ再生装置２５を制御するための制御プログラムはＲＯＭに格納されている。
【００２２】
クライアント制御部１２は、パーソナルコンピュータ２６又はメモリカード２７より出力されたディジタルコンテンツデータを受信する。クライアント制御部１２は、ディジタルシグナルプロセッサ（ＤＳＰ）により構成されている。このコンテンツ再生装置２５の例では、クライアント制御部１２にコンテンツデータが入力される入力部分には、入力ディジタル信号切換部３１が設けられている。この入力ディジタル信号切換部３１は、ディジタルシグナルプロセッサの一部として信号処理が行われる。
【００２３】
入力ディジタル信号切換部３１は、２つの動作モードを有し、これら２つの動作モードを切り換えて入力信号を処理する。具体的にはコンテンツ再生装置２５のユーザの選択に応じて、再生を行うディジタルコンテンツソースによってをパーソナルコンピュータ２６からの入力信号を取り扱う動作モードとメモリカード２７からの入力信号を取り扱う動作モードとで動作モードを切り換えて、入力されたコンテンツソースの入力信号の出力処理等を選択的に行う。
【００２４】
そして、クライアント制御部１２には、入力ディジタル信号切換部３１の切り換えの状態に応じて、パーソナルコンピュータ２６又はメモリカード２７より出力されたディジタルデータが入力される。クライアント制御部１２は、入力されたビットストリームからなるコンテンツデータをＰＣＭデータにデコードする。もっとも、このデコード処理は必ずしも当該クライアント制御部１２で行わなくてもよく、後段のオーディオＤＳＰ１４で行うようにしてもよい。
【００２５】
クライアント制御部１２において得られたＰＣＭデータは、クライアント制御部１２よりセレクタＩＣ３０を通ってＤＩＲ１３に出力される。セレクタＩＣ３０は、コンテンツ再生装置２５により再生するコンテンツを、ユーザの選択に応じてＤＶＤ（ディジタルバーサタイルディスク）ユニット、ＶＩＤＥＯ（ビデオ）ユニット、パソコン２６、メモリカード２７間で切り換えるためのものである。
【００２６】
セレクタＩＣ３０には、入力ディジタル信号切換部３１より出力されたコンテンツデータ、ＤＶＤユニットより出力されたコンテンツデータ、ＶＩＤＥＯユニットより出力されたコンテンツデータが入力されるようにされている。セレクタＩＣ３０のセレクタの切り換えに基づき、選択されたユニットより入力されたコンテンツデータはＤＩＲ１３に入力される。
【００２７】
ＤＩＲ１３は、入力されたコンテンツデータをオーディオＤＳＰ１４が処理可能な信号に変換し、変換した信号をオーディオＤＳＰ１４に出力する。オーディオＤＳＰ１４は、ＤＩＲ１３より入力されたコンテンツデータをさらに復調する等の処理を行い、処理したデータをアンプ部１７に出力する。
【００２８】
アンプ部１７は、入力されたデータをＤ／Ａ変換によりアナログ信号に変換するとともに、このアナログ信号をアナログ増幅する。アンプ部１７は、図示されないＤ／Ａコンバータ及びアナログ増幅器を備えている。アンプ部１７において得られた音声信号は、アンプ部１７よりスピーカ１８に出力される。スピーカ１８は、入力された音声信号に基づく音声を出力する。
【００２９】
コンテンツ再生装置２５は、図示しない操作キーを備えている。コンテンツ再生装置２５を使用するユーザが操作キーを操作することより、コンテンツ再生装置２５を動作させる条件情報が入力される。
【００３０】
操作キーが操作されると、操作内容を表す信号がキー制御部１９よりシステムマイコン１１に入力される。システムマイコン１１は、キー制御部１９より入力された操作検出信号により、操作の内容を検出する。
【００３１】
そして、システムマイコン１１は、キー制御部１９より入力された操作検出信号に基づき、ユーザの操作によって、パーソナルコンピュータ（ＰＣ（以下、パソコンという））２６又はメモリカード２７のいずれのディジタルコンテンツソースが選択されたか、またＤＶＤユニット又はＶＩＤＥＯユニットのいずれのコンテンツソースが選択されたかを検出する。
【００３２】
コンテンツ再生装置２５は、ディジタルコンテンツソースとしてパソコン２６及びメモリカード２７が接続されるようにされており、パソコン２６に記憶されるコンテンツ及びメモリカード２７に記憶されるコンテンツをコンテンツ再生装置２５により再生することができる。
【００３３】
パソコン２６及びメモリカード２７は、各々が映像や音声からなるコンテンツを記憶しており、コンテンツを表すコンテンツデータをディジタルデータで出力する。
【００３４】
パソコン２６は、コンテンツサーバとして機能する。パソコン２６は、イーサネット（登録商標）（Ethernet（登録商標））規格のネットワークを介して入力ディジタル信号切換用部３１の入力ポートに接続される。パソコン２６は、ルータを介してネットワークに接続されている。入力ディジタル信号切換部３１におけるパソコン２６のデータ入力ポートは、ＬＡＮコントローラ及びイーサネット（登録商標）ボードを介してネットワークに接続される。
【００３５】
メモリカード２７は、コンテンツ再生装置２５の専用スロット２８に装填される。メモリカード２７より出力されたデータは、入力ディジタル信号切換部３１におけるメモリカード２７のデータ入力ポートに入力される。
【００３６】
表示部１６には、コンテンツ再生装置２５の現在の動作の状態に関するデータが表示される。表示部１６には、例えば、現在再生されているコンテンツソースの種類、現在再生されている映像又は音声等のコンテンツの種類、現在の再生状態、再生しているファイル名等が表示される。
【００３７】
表示部１６に前記データを表示するにあたり、以下のように制御される。システムマイコン１１のＲＡＭには、コンテンツ再生装置２５の現在の状態に関するデータが記憶されるデータテーブルが展開されている。
【００３８】
システムマイコン１１は、このデータテーブルより表示部１６に表示するための所要のデータを表示制御マイコン１５に出力する。この表示制御マイコン１５は、表示部１６を制御するための専用のマイコンである。
【００３９】
表示制御マイコン１５は、ＣＰＵ、ＲＯＭ及びＲＡＭを備え、表示部１６を制御するための動作を行う。表示制御マイコン１５は、システムマイコン１１より表示部６に表示するべき内容のデータが入力されると、このデータに基づく表示を行うよう表示部１６を制御する。
【００４０】
なお、図１には、コンテンツ再生装置２５のブロックのうち、主に音声再生のための信号処理を行うブロックが図示されている。コンテンツ再生装置２５には、図１に示されるブロック以外に、映像を再生するための信号処理を行うブロックやモニタ画面等も設けられている。
【００４１】
次に、セレクタＩＣ３０、入力ディジタル信号切換部３１について、図２も参酌して、より詳しく説明する。図２は、システムマイコン１１、セレクタＩＣ３０、入力ディジタル信号切換部３１のブロック図である。
【００４２】
セレクタＩＣ３０は、コンテンツ再生装置２５により再生するコンテンツを入力するためのコンテンツソースを、ＤＶＤユニット、ＶＩＤＥＯユニット、デジタルコンテンツ（パソコン２６及びメモリカード２７）間で切り換えるためのものである。
【００４３】
セレクタＩＣ３０には、ＤＶＤ用入力ポート３０ａ、ＶＩＤＥＯ用入力ポート３０ｂ、ディジタルコンテンツ用入力ポート３０ｃが設けられている。ＤＶＤ用入力ポート３０ａは、ＤＶＤユニットより出力されたコンテンツを入力するためのポートであり、ＤＶＤユニットの筐体外面等に設けられるＤＶＤ入力端子３２と接続されている。
【００４４】
ＶＩＤＥＯ用入力ポート３０ｂは、ＶＩＤＥＯユニットより出力されたコンテンツを入力するためのポートであり、筐体外面等に設けられるＶＩＤＥＯ入力端子３３に接続されている。
【００４５】
ディジタルコンテンツ用入力ポート３０ｃは、ディジタルコンテンツソース２６、２７より出力されたコンテンツデータを入力するためのポートであり、入力ディジタル信号切換部３１のデータ出力ポート３１ｃに接続されている。
【００４６】
セレクタＩＣ３０の入力ポート３０ａ、３０ｂ、３０ｃのうち、いずれのポートの信号を後段のＤＩＲ１３に出力するかはセレクタＩＣ３０のセレクタの切り換えに応じて定まり、セレクタＩＣ３０にはいずれのポートで受信する信号を出力するか設定される。出力設定されたポートに接続されたコンテンツソースがコンテンツのデータを出力すると、このデータはセレクタＩＣ３０に入力される。
【００４７】
このセレクタＩＣ３０の入力ポートの切り換えは、システムマイコン１１により、セレクタＩＣ３０へのコマンドの送信により制御される。即ち、システムマイコン１１は、複数のコンテンツソース及びディジタルコンテンツソースのうち、いずれのコンテンツソースが選択されたかを表す信号が入力され、選択されたコンテンツソースを検出すると、選択されたコンテンツソースのための入力ポートを受信可能とするようにセレクタを切り換えるコマンドをセレクタＩＣ３０に送信する。
【００４８】
また、セレクタＩＣ３０には、ディジタルコンテンツソース２６又は２７が選択された場合に、コンテンツソース２６又は２７のいずれが選択されたかを表す信号が入力される。そして、セレクタＩＣ３０は、選択されたコンテンツソース２６又は２７からのデータをポート３０ｃで受信できる状態となる。尚、セレクタＩＣ３０がデコード処理等を行わない場合、ディジタルコンテンツが選択されたことのみを表す信号を入力するようにしてもよい。
【００４９】
入力ディジタル信号切換部３１は、ユーザの選択に応じて、再生を行うディジタルコンテンツソースをパーソナルコンピュータ２６とメモリカード２７とで切り換えを行う。
【００５０】
入力ディジタル信号切換部３１は、パーソナルコンピュータ用入力ポート（以下、パソコン用入力ポートという）３１ａ、メモリカード用入力ポート３１ｂ、及びデータ出力ポート３１ｃを備えている。
【００５１】
パソコン用入力ポート３１ａには、パーソナルコンピュータ２６より出力されたコンテンツデータが送信されＬＡＮ入力として入力される。また、メモリカード用入力ポート３１ｂには、メモリカード２７より出力されたコンテンツデータがスロット入力として入力される。
【００５２】
入力ディジタル信号切換部３１には、ディジタルコンテンツ用セレクタが設けられている。入力ディジタル信号切換部３１は、ディジタルコンテンツ用セレクタを切り換えることにより、パソコン用入力ポート３１ａ又はメモリカード用入力ポート３１ｂのいずれにより受信するかを切り換える。
【００５３】
パソコン用入力ポート３１ａ又はメモリカード用入力ポート３１ｂのいずれかより入力されたディジタルコンテンツデータは、データ出力ポート３１ｃより出力される。
【００５４】
データ出力ポート３１ｃはセレクタＩＣ３０のディジタルコンテンツ用入力ポート３０ｃに接続されている。セレクタＩＣ３０が入力ポート３０ｃが受信可能に切り換えられた状態にあると、データ出力ポート３１ｃより出力されたデータは入力ポート３０ｃよりセレクタＩＣ３０に入力される。つまり、入力ディジタル信号切換部３１は、データ出力ポート３１ｃがセレクタＩＣ３０の入力ポート３０ｃに接続されており、セレクタＩＣ３０に対して独立した入力セレクタを有している。
【００５５】
入力ディジタル信号切換部３１は、その状態がシステムマイコン１１により制御される。入力ディジタル信号切換部３１は、システムマイコン１１により、ディジタルコンテンツ用セレクタの切り換えが制御される。
【００５６】
また、入力ディジタル信号切換部３１は、ディジタルコンテンツ用セレクタがニュートラル状態となるように、システムマイコン１１によって制御される。入力ディジタル信号切換部３１のディジタルコンテンツ用セレクタがニュートラル状態とされると、入力ポート３１ａ及び３１ｂのいずれの入力信号も選択していない状態となりもコンテンツデータを受信できず、パソコン２６に記憶されるコンテンツデータ及びメモリカード２７に記憶されるコンテンツデータのいずれも入力ディジタル信号切換部３１に入力されない。上述した入力ディジタル信号切換部３１の動作モードによっては、従来技術で説明した通り、入力ディジタル信号切換部３１は動作状態によってビジーとなってしまう場合が起こり得る。このビジー状態でセレクタを切り換えようとした場合、入力ディジタル信号切換部３１の動作モードの切り換え、つまり、コンテンツソースの切り換え処理に遅延が生じてしまう可能性がある。しかし、本発明においては、セレクタの切り換えが指示されると、システムマイコン１１によって入力ディジタル信号切換部３１が必ず一旦ニュートラル状態とされ、入力ディジタル信号切換部３１がニュートラル状態となったことがシステムマイコン１１に通知された後にセレクタの切り換えがなされる。これによってビジー状態でのセレクタ切り換えを防止し、入力ディジタル信号切換部３１がビジー状態である等の不安定な状態の下でセレクタ切り換えが実行されてしまうことを防止している。
【００５７】
システムマイコン１１は、各々が制御の内容を表す各々のコマンドを入力ディジタル信号切換部３１に送信することにより、入力ディジタル信号切換部３１を制御する。
【００５８】
次に、コンテンツ再生装置２５の動作の一例について、図３により説明する。以下の説明では、コンテンツ再生装置２５を電源オンしてからセレクタの切り換えを行うまでの動作について説明する。
【００５９】
コンテンツ再生装置２５が電源オン（パワーオン）されると、システムマイコン１１は、図３に示されるパワーオン時の設定処理を行う。まず、システムマイコン１１は、入力ディジタル信号切換部３１をハードリセットさせる。つまり、ディジタルコンテンツ用セレクタをニュートラル状態となるように指示する。（ステップＳ１１）。
【００６０】
次に、システムマイコン１１は、自身について入力ディジタル信号切換部３１に制御コマンドを送信することを禁止する制御コマンド送信禁止処理を行う（ステップＳ１２）。この間、入力ディジタル信号切換部３１は、自身について、初期処理を行い、さらにディジタルコンテンツ用セレクタをニュートラル状態に収束させる。そして、入力ディジタル信号切換部３１は、ディジタルコンテンツ用セレクタをニュートラルとすると、このニュートラルとなったことをシステムマイコン１１に通知する。
【００６１】
システムマイコン１１は、入力ディジタル信号切換部３１よりディジタルコンテンツ用セレクタをニュートラルとしたことの通知を受信したか否か判別し（ステップＳ１３）、この通知を受信するまで待機する（ステップＳ１３、ＮＯ）。
【００６２】
システムマイコン１１は、入力ディジタル信号切換部３１よりディジタルコンテンツ用セレクタをニュートラルとしたことの通知を受信すると（ステップＳ１３、ＹＥＳ）、自身について、入力ディジタル信号切換部３１にセレクタ切り換えのためのセレクタコマンドを送信可能にするためのセレクタコマンドの送信許可処理を行う（ステップＳ１４）。
【００６３】
次に、システムマイコン１１は、システムマイコン１１内のＲＡＭに保持されている選択されているソースが、パソコン（ＰＣ）２６が選択されている状態になっているか否か判別する（ステップＳ１５）。システムマイコン１１は、ＲＡＭに保持されている状態がパソコン２６を選択している状態になっていることを検出すると（ステップＳ１５、ＹＥＳ）、入力ディジタル信号切換部３１に対して、セレクタをパソコン２６の接続に遷移するよう指示する制御を行う（ステップＳ１６）。これにより、入力ディジタル信号切換部３１は、セレクタをパソコン２６を接続する状態に遷移する。
【００６４】
次に、システムマイコン１１は、入力ディジタル信号切換部３１よりセレクタをパソコン２６を接続するようにしたことの通知が送信されるまで待機する（ステップＳ１７、ＮＯ）。
【００６５】
システムマイコン１１は、入力ディジタル信号切換部３１よりセレクタをパソコン２６を接続するようにしたことの通知を受信すると（ステップＳ１７、ＹＥＳ）、システムマイコン１１内のＲＡＭにメモリされているソースの選択状態と比較する。ＲＡＭで保持されている状態もパソコン２６の選択状態であれば、当該選択状態の遷移を有効として、自身について入力ディジタル信号切換部３１に対して制御コマンドを送信することを許可する制御コマンド送信許可処理を行う（ステップＳ２２）。一方、入力ディジタル信号切換部３１よりセレクタをパソコン２６の選択状態としたことの通知を受信したとき、システムマイコン１１内のＲＡＭで保持している選択状態がパソコン２６の選択状態でない場合、入力ディジタル信号切換部３１の状態遷移を無効として、再度ステップＳ１１から処理を行う。遷移処理が有効であった場合、上述の処理に引き続き、入力ディジタル信号切換部３１は、パソコン２６を接続する動作を行う。そして、システムマイコン１１は、その他の所要の処理を行い、処理を終了する。
【００６６】
また、システムマイコン１１は、ステップＳ１５においてシステムマイコン１１内のメモリで保持する選択状態がセレクタＩＣ３０が、パソコン２６を接続する状態になっていることを検出しない場合（ステップＳ１５、ＮＯ）、ＲＡＭの選択状態がメモリカード２７を接続する状態になっているか否か判別する（ステップＳ１８）。
【００６７】
システムマイコン１１は、ＲＡＭで保持するソース選択状態がメモリカード２７を接続する状態になっていることを検出すると（ステップＳ１８、ＹＥＳ）、入力ディジタル信号切換部３１に対して、セレクタをメモリカード２７の接続に遷移するよう指示する制御を行う（ステップＳ１９）。これにより、入力ディジタル信号切換部３１は、セレクタをメモリカード２７を接続する状態に遷移する。
【００６８】
次に、システムマイコン１１は、入力ディジタル信号切換部３１よりセレクタをメモリカード２７を接続するようにしたことの通知が送信されるまで待機する（ステップＳ２０、ＮＯ）。
【００６９】
システムマイコン１１は、入力ディジタル信号切換部３１よりセレクタをメモリカード２７を接続するようにしたことの通知を受信すると（ステップＳ２０、ＹＥＳ）、システムマイコン１１内のＲＡＭにメモリされているソースの選択状態と比較する。ＲＡＭで保持されている状態もメモリカード２７の選択状態であれば、当該選択状態の遷移を有効として、自身について入力ディジタル信号切換部３１に対して制御コマンドを送信することを許可する制御コマンド送信許可処理を行う（ステップＳ２１）。一方、入力ディジタル信号切換部３１よりセレクタをメモリカード２７の選択状態としたことの通知を受信したとき、システムマイコン１１内のＲＡＭで保持している選択状態がメモリカード２７の選択状態でない場合、入力ディジタル信号切換部３１の状態遷移を無効として、再度ステップＳ１１から処理を行う。
【００７０】
遷移処理が有効であった場合、上述の処理に引き続き、入力ディジタル信号切換部３１は、メモリカード２７に記憶された内容を読み込む処理を行う。システムマイコン１１は、その他の所要の処理を行った後、処理を終了する。
【００７１】
また、システムマイコン１１は、ステップＳ１８においてＲＡＭ内で保持する選択状態がメモリカード２７を接続する状態になっていることを検出しない場合（ステップＳ１８、ＮＯ）、セレクタがＰＣか若しくはメモリカードになるまで待機される（ステップＳ１５、ステップＳ１８）。
【００７２】
以上の手順によると、システムマイコン１１は、入力ディジタル信号切換部３１よりディジタルコンテンツ用セレクタがニュートラルであることの通知を受信するまで制御コマンドの送信を禁止し、その通知を受信した後にセレクタコマンドの送信を許可している（ステップＳ１２、Ｓ１３、Ｓ１４）。
【００７３】
これにより、入力ディジタル信号切換部３１のセレクタを、ニュートラルにされていない状態から、パソコン２６又はメモリカード２７を入力ディジタル信号切換部３１に入力する状態にすることがなく、入力ディジタル信号切換部３１のセレクタの誤った切り換えを防ぐことができる。つまり、入力ディジタル信号切換部３１を一旦ニュートラル状態とした後に、ソースの選択指示を送信し、入力ディジタル信号切換部３１で遷移された状態と、システムマイコン１１内のＲＡＭで保持されているソース選択状態との比較によって、常にシステムマイコン１１で認識しているソース選択状態と入力ディジタル信号切換部３１でのソース選択状態の整合がとられることになる。
【００７４】
次に、コンテンツ再生装置２５の動作の他の一例について、図４により説明する。以下の説明では、入力ディジタル信号切換部３１のセレクタをパソコン２６及びメモリカード２７の一方の接続から他方の接続へ切り換える動作の例について説明する。
【００７５】
ユーザがパソコン（ＰＣ）２６又はメモリカード２７のいずれか一方のディジタルコンテンツソースの再生を行っている状況で、他方を選択するための操作キーを操作すると、システムマイコン１１には、再生を行うコンテンツソースを切り換えるためのキー入力が発生する。これにより、システムマイコン１１は、割り込み処理として、図４に示されるキー入力処理を行う。
【００７６】
システムマイコン１１は、入力されたキー入力に基づき、パソコン（ＰＣ）２６又はメモリカード２７のいずれのコンテンツソースが選択されたかを判別する（ステップＳ３１）。
【００７７】
キー入力により入力された内容がパソコン２６又はメモリカード２７の選択でない場合（ステップＳ３１、ＮＯ）、システムマイコン１１は、入力されたキー入力の内容に応じた処理、例えば再生する音量の調節や、再生するユニットとしてＤＶＤユニットを選択する等の処理を行うよう制御を行う（ステップＳ３２）。
【００７８】
キー入力により選択されたコンテンツソースがパソコン２６又はメモリカード２７である場合（ステップＳ３１、ＹＥＳ）、システムマイコン１１は、選択されたコンテンツソースがいずれかをメモリ（ＲＡＭ）にストアする（ステップＳ３３）。
【００７９】
次に、システムマイコン１１は、選択されたコンテンツソースが、キー入力が行われる前に再生されていたパソコン２６又はメモリカード２７のいずれかより変更があったか否か判別する（ステップＳ３４）。
【００８０】
今回キー入力により選択されたコンテンツソースがキー入力の前に再生されていたユニットより変更がなかった場合（ステップＳ３４、ＮＯ）、再生中のコンテンツソースをそのまま継続して再生する（ステップＳ３５）。
【００８１】
今回選択されコンテンツソースがキー入力の前に再生されていたソースより変更があった場合（ステップＳ３４、ＹＥＳ）、システムマイコン１１は、入力ディジタル信号切換部３１に対して、セレクタをニュートラルの状態に遷移することを指示する制御を行う（ステップＳ３６）。
【００８２】
次に、システムマイコン１１は、自身について入力ディジタル信号切換部３１に制御コマンドを送信することを禁止する制御コマンド送信禁止処理を行う（ステップＳ３７）。この間、入力ディジタル信号切換部３１では、キー入力前に再生を行っていたコンテンツソースを接続するセレクタを終了する処理を行い、セレクタがニュートラルに遷移する。
【００８３】
次に、システムマイコン１１は、入力ディジタル信号切換部３１よりセレクタがニュートラルになったことの通知が送信されるまで待機する（ステップＳ３８、ＮＯ）。そして、システムマイコン１１は、入力ディジタル信号切換部３１よりセレクタがニュートラルになったことの通知を受信すると（ステップＳ３８、ＹＥＳ）、入力ディジタル信号切換部３１に対して、ステップＳ３３においてメモリにストアしたコンテンツソースのデータを入力する状態にセレクタを遷移するよう指示する（ステップＳ３９）。これにより、入力ディジタル信号切換部３１は、セレクタを、ステップＳ３３においてストアしたコンテンツソースのデータを入力し得る状態に遷移させる。
【００８４】
次に、システムマイコン１１は、入力ディジタル信号切換部３１よりセレクタを選択されたコンテンツソースに遷移させたことの通知が送信されるまで待機する（ステップＳ４０、ＮＯ）。システムマイコン１１は、入力ディジタル信号切換部３１よりセレクタが選択されたコンテンツソースを接続するようになったことの通知を受信すると（ステップＳ４０、ＹＥＳ）、システムマイコン内のＲＡＭに保持する選択ソースと、入力ディジタル信号切換部３１からの受信した通知による選択ソースを比較し、一致している場合には有効な遷移として自身について入力ディジタル信号切換部３１に対して制御コマンドを送信することを許可する制御コマンド送信許可処理を行う（ステップＳ４１）。また、これに続いて、入力ディジタル信号切換部３１は、選択されたコンテンツソースのコンテンツデータを読み込む処理を行う。
【００８５】
以上に説明したコンテンツ再生装置２５によると、パソコン２６に記憶されるコンテンツデータ又はメモリカード２７に記憶されるコンテンツデータをコンテンツ再生装置２５に入力すべくパソコン２６又はメモリカード２７を入力ディジタル信号切換部３１に接続するにあたり、入力ディジタル信号切換部３１のセレクタをニュートラルにした後に、入力ディジタル信号切換部３１のセレクタをパソコン２６又はメモリカード２７のいずれかを入力ディジタル信号切換部３１に入力可能とする状態とする。
【００８６】
そして、入力ディジタル信号切換部３１でのソース選択状態と、システムマイコン１１で認識しているソース選択状態（セレクタＩＣはシステムマイコン１１の制御によって即座にソース選択が切り換えられる）との一致を判断する。
【００８７】
以上説明した実施の形態によれば、システムマイコン１１で認識しているソース選択状態（セレクタＩＣ３０の切り換え状態）と入力ディジタル信号切換部３１の切り換えとの同期を取ることができ、入力ディジタル信号切換部３１の切り換え動作を安定させ確実にすることができる。そして、コンテンツ再生装置２５のパワーオン直後にセレクタＩＣ３０が起動した状態であっても、入力ディジタル信号切換部３１を安定させて切り換えを行うことができる。
【００８８】
また、コンテンツ再生装置２５のセレクタＩＣ３０の切り換えが素早く行われた場合であっても、入力ディジタル信号切換部３１の切り換えを確実に行うことができる。例えば、入力ディジタル信号切換部３１にパソコン２６の選択が指示された後に、ソースの選択が他のソースに複数回切り換えられても、入力ディジタル信号切換部３１からパソコン２６の選択遷移の完了通知を受信したときに、システムマイコン１１のＲＡＭ内におけるソース選択状態がパソコン２６を示していれば、そのままソース選択が維持されることになる。従って、システムマイコン１１から入力ディジタル信号切換部３１に対して頻繁にソース切り換え指示が出されることが防止され、安定したソース選択処理が行われる。また、入力ディジタル信号切換部３１が他の重い処理を行っている場合でも、入力ディジタル信号切換部３１のセレクタの切り換え処理に無理がなく、切り換えを確実に行うことができる。
【００８９】
なお、以上の説明では、パソコン２６及びメモリカード２７の二つのディジタルコンテンツソースを入力ディジタル信号切換部３１により切り換えて接続する例を挙げた。本発明を実施するにあたり、入力ディジタル信号切換部３１により切り換えて接続するディジタルコンテンツソースは、二つのソースに限られず複数であればよい。また、上述の説明では、セレクタＩＣ３０と入力ディジタル信号切換部３１の協働のもとでソース選択がなされているが、本発明によれば、複数のソースの入力及び切り換えを上述の入力ディジタル信号切換部３１で全て管理するようにすることも可能である。この場合にも、入力ディジタル信号切換部３１のソース選択状態と、システムマイコン１１が認識しているソース選択状態の整合をとることが可能である。
【００９０】
本発明を実施するにあたり、ディジタルコンテンツソースの数に関わらず、入力ディジタル信号切換部のセレクタをニュートラルとした後に、選択された一つのソースに記憶されるコンテンツデータをコンテンツ再生装置に入力すべく、選択された一つのソースを入力ディジタル信号切換部に接続する。また、コンテンツを供給するソースとして、以上に挙げたもの以外にＣＤを設けることもできる。そして、ソースからの出力信号は、デコードが必要な場合には、クライアント制御部１２に供給され、デコード済みの場合にはＤＩＲに供給され、ＤＩＲで任意の入力が選択される。
【図面の簡単な説明】
【００９１】
【図１】本発明の一実施形態であるコンテンツ再生装置のブロック図である。
【図２】セレクタＩＣ、入力ディジタル信号切換部、及びシステムマイコンの          ブロック図である。
【図３】コンテンツ再生装置の動作の一例のフローチャートである。
【図４】コンテンツ再生装置の動作の一例のフローチャートである。
【符号の説明】
【００９２】
１１      システムマイコン
１２      クライアント制御部
１３      ディジタルインターフェースレシーバ
１４      オーディオディジタルシグナルプロセッサ
１５      表示制御マイコン
１６      表示部
１７      アンプ部
１８      スピーカ
１９      キー制御部
２５      コンテンツ再生装置
２６      パーソナルコンピュータ
２７      メモリカード
２８      スロットル
３０      セレクタＩＣ
３０ａ    ＤＶＤ用入力ポート
３０ｂ    ＶＩＤＥＯ用入力ポート
３０ｃ    ディジタルコンテンツ用入力ポート
３１      入力ディジタル信号切換部
３１ａ    パソコン用入力ポート
３１ｂ    メモリカード用入力ポート
３１ｃ    データ出力ポート
３２      ＤＶＤ入力端子
３３      ＶＩＤＥＯ入力端子
【図１】
2006065939.tif 000003
【図２】
2006065939.tif 000004
【図３】
2006065939.tif 000005
【図４】
2006065939.tif 000006